(57)【要約】【課題】メモリ送信モードの途中でメモリフルになっても送信操作が容易で、原稿の傷みも抑制可能とする。【解決手段】原稿ページを読み取った送信用の原稿画像を記憶部に記憶させ記憶部から原稿画像を送信するメモリ送信モードと原稿画像を記憶部に記憶させることなく直接送信するダイレクト送信モードとに対応したファクシミリ装置であって、記憶部の残存記憶容量が設定量以下となるメモリフルを監視しメモリフル以前の原稿画像はメモリ送信モードで送信すると共にメモリフル後は原稿画像をダイレクト送信モードで送信するように切り換える主制御部とを備えたことを特徴とする。【選択図】  図２
2007306252.tif 000002
【特許請求の範囲】
【請求項１】
原稿ページを読み取った送信用の原稿画像を記憶部に記憶させ該記憶部から原稿画像を送信するメモリ送信モードと前記原稿画像を前記記憶部に記憶させることなく直接送信するダイレクト送信モードとに対応したファクシミリ装置であって、
前記記憶部の残存記憶容量が設定量以下となるメモリフルを監視しメモリフル以前の原稿画像は前記メモリ送信モードで送信すると共にメモリフル後は原稿画像をダイレクト送信モードで送信するように切り換える主制御部と、
を備えたことを特徴とするファクシミリ装置。
【請求項２】
請求項１記載のファクシミリ装置であって、
各種情報を表示するためのパネルを備え、
前記主制御部は、前記記憶部がメモリフルになったときメモリフル発生後の原稿ページの読み取りを促す表示を前記パネルに行う
ことを特徴とするファクシミリ装置。
【請求項３】
請求項１又は２記載のファクシミリ装置であって、
前記主制御部は、前記メモリ送信モードの実行途上で通信エラーが発生した場合には、リダイヤルによって通信エラーからの復帰を図る
ことを特徴とするファクシミリ装置。
【発明の詳細な説明】
【技術分野】
【０００１】
本発明は、送信操作の煩雑さ、並びに、原稿の傷みを、可及的に抑制することができるファクシミリ装置に関する。
【背景技術】
【０００２】
ファクシミリ装置の送信モードとしては、スキャナで読み取ったファックス送信用の原稿画像を直接送信するダイレクト送信モードと、読み取った原稿画像を一旦メモリに蓄積した後、蓄積された原稿画像を送信するメモリ送信モードとがある。
【０００３】
このうち、メモリ送信モードを用い、原稿自動送り装置付きファクシミリ装置で複数枚の原稿画像を送信しようとした場合において、原稿画像をメモリに蓄積している途中でメモリの残存記憶容量がゼロ（メモリフル）になったときには、残存記憶容量が回復してから再度送信操作をやり直すか、ダイレクト送信モードで送信をやり直さなければならない。
【０００４】
こうした送信操作の二度手間を省くために、送信処理に先立って、まず、メモリフルか否かを判断し、メモリフルでない場合にはメモリ送信を実行する一方、メモリフルの場合にはダイレクト送信を実行するように、メモリフルか否かに基づいて送信モードを選択的に切り換える技術が知られている（特許文献１）。
【０００５】
しかしながら、上述した従来技術にあっては、メモリフルか否かを、例えば、メモリの残存記憶容量が設定量３０％未満になればメモリフルとみなすといったように、原稿画像を実際に読み込むことなく判断しているため、送信原稿の実際のメモリ占有容量が、設定量３０％を超える事態が生じた場合には、やはり途中でメモリフルに陥ることになる。こうした場合、再度はじめから送信操作をやり直さなければならないため、その操作が煩雑で手間がかかり、また、少なくとも二度にわたり原稿自動送り装置に原稿を通過させることに起因して原稿の傷みを助長するといった問題があった。
【０００６】
【特許文献１】特開平１０−２２４６２２号公報
【発明の開示】
【発明が解決しようとする課題】
【０００７】
解決しようとする問題点は、メモリ送信モードにおいて、原稿画像をメモリに蓄積している途中でメモリフルに陥ると、送信操作が煩雑で手間がかかり、また、原稿の傷みを助長するといった点である。
【課題を解決するための手段】
【０００８】
本発明は、メモリ送信モードの途中でメモリフルに陥っても、送信操作が容易で、原稿の傷みを抑制可能とするため、原稿ページを読み取った送信用の原稿画像を記憶部に記憶させ該記憶部から原稿画像を送信するメモリ送信モードと前記原稿画像を前記記憶部に記憶させることなく直接送信するダイレクト送信モードとに対応したファクシミリ装置であって、前記記憶部の残存記憶容量が一定量以下となるメモリフルを監視しメモリフル以前の原稿画像は前記メモリ送信モードで送信すると共にメモリフル後は原稿画像をダイレクト送信モードで送信するように切り換える主制御部とを備えたことを最も主要な特徴とする。
【発明の効果】
【０００９】
本発明は、メモリ送信モードの途中でメモリフルに陥っても、送信操作が容易で、原稿の傷みを抑制可能とするため、原稿ページを読み取った送信用の原稿画像を記憶部に記憶させ該記憶部から原稿画像を送信するメモリ送信モードと前記原稿画像を前記記憶部に記憶させることなく直接送信するダイレクト送信モードとに対応したファクシミリ装置であって、前記記憶部の残存記憶容量が一定量以下となるメモリフルを監視しメモリフル以前の原稿画像は前記メモリ送信モードで送信すると共にメモリフル後は原稿画像をダイレクト送信モードで送信するように切り換える主制御部とを備えたので、送信操作を最初から繰り返すことに起因する煩雑さ、並びに、少なくとも二度にわたり原稿自動送り装置に原稿を通過させることに起因する原稿の傷みを抑制することができる。
【発明を実施するための最良の形態】
【００１０】
メモリ送信モードの途中でメモリフルに陥っても、送信操作が容易で、原稿の傷みを抑制可能にするという目的を、メモリフル発生後の原稿画像を記憶させることなくダイレクト送信モードで送信を実行させることにより実現した。
【実施例】
【００１１】
［ファクシミリ装置］
図１は、実施例に係るファクシミリ装置の概略構成を示している。
【００１２】
ファクシミリ装置は、マイクロコンピュータ等から構成される主制御部１１によって制御される。この主制御部１１に接続される入出力機器として、ファクシミリ装置は、原稿ページを読み取りファックス送信用のデータである原稿画像とする読取部１３、受信画像等を記録紙に記録する記録部１５、ファックス送信を開始させるためのスタートキーを含む各種機能キー、並びに各種情報を表示するためのパネル（不図示）を有する操作部１７、プログラム、データ、送信用の原稿画像などの各種情報が記憶される記憶部１９、プログラマブルトーン送出及び検出機能を有するモデム２１、回路網の制御を行う網制御部（ＮＣＵ）２３、並びに、読取部１３に対して原稿ページを自動的に連続して送り込むための原稿自動送り装置（不図示）を備えている。
【００１３】
こうした入出力機器が接続された主制御部１１は、記憶部１９における残存記憶容量を監視することで、記憶部１９がメモリフルに陥ったか否かを判定する機能と、メモリ送信モードにおいて、原稿ページを読み取った送信用の原稿画像を記憶部１９に蓄積している途中でメモリフルに陥ってしまった場合には、メモリフル発生以前の原稿画像はメモリ送信を実行する一方、メモリフル発生後の原稿画像は記憶部１９に蓄積させることなくダイレクト送信を実行するように、メモリフルの発生前後で送信モードを切り換える機能と、を有する。
【００１４】
［メモリ送信モードにおける動作］
図２に、本発明実施例に係るファクシミリ装置のメモリ送信モードにおける動作フローチャートを示す。
【００１５】
原稿自動送り装置に原稿がセットされるとともに、ファックス送信を開始させるためのスタートキー入力操作がオペレータにより行われ、メモリ送信モードでの送信処理が開始されると、主制御部１１は、セットされた原稿の全ページを読み取り、読み取った原稿画像を記憶部１９に転送させる指令を読取部１３に送出するとともに、こうして転送されてきた原稿画像を蓄積させる指令を記憶部１９に送出する。これにより、読取部１３は、セットされた原稿の全ページを読み取り、読み取った送信用の原稿画像を記憶部１９に転送する一方、記憶部１９は、こうして転送されてきた原稿画像を蓄積するといった、原稿読み込み処理が実行される（Ｓ１）。
【００１６】
Ｓ２において、主制御部１１は、Ｓ１の原稿読み込み処理が読取部１３において遂行されている間、記憶部１９における残存記憶容量を監視することで、記憶部１９がメモリフルに陥ったか否かを判定する。メモリフルの判断基準となる残存記憶容量の設定量は、予め設定され、残存記憶容量が少なくなったとき（例えば、残存容量３０％等）、或いは零になったときとすることができ、この設定量でメモリフルとする。
【００１７】
Ｓ２の判定の結果、記憶部１９がメモリフルに陥っていないと判定されたとき、主制御部１１は、記憶部１９に蓄積されている原稿の全ページを対象として、メモリ送信処理を実行（Ｓ３）した後、送信処理を終了する。
【００１８】
一方、Ｓ２の判定の結果、記憶部１９がメモリフルに陥ったと判定されたとき、主制御部１１は、メモリフル発生後の原稿ページを原稿自動送り装置にセットしスタートキーを入力操作するようオペレータに促すメッセージを、操作部１７のパネルに表示させる指令を操作部１７に送出する。これにより、操作部１７のパネルには、例えば「２７ページ目から原稿を再セットし、スタートキーを押してください。」といった表示がなされる（Ｓ４）。
【００１９】
Ｓ５において、主制御部１１は、原稿が原稿自動送り装置にセットされた状態でスタートキーが入力操作されたか否かの判定を行い、原稿が原稿自動送り装置にセットされた状態でスタートキーが入力操作されたと判定されるまで、Ｓ５の判定処理を繰り返す。
【００２０】
Ｓ５の判定の結果、原稿が原稿自動送り装置にセットされた状態でスタートキーが入力操作されたと判定されたとき、主制御部１１は、メモリフル発生以前の原稿ページについてメモリ送信処理を実行する（Ｓ６）一方、メモリフル発生後の、再セット原稿のページについてダイレクト送信処理を実行（Ｓ７）した後、送信処理を終了する。
【００２１】
次に、Ｓ１〜Ｓ７の送信処理の流れについて、３０枚の原稿をメモリ送信モードで送信しようと試みた例をあげて具体的に説明する。３０枚分の原稿画像を記憶部１９に蓄積しても残存容量に余裕があってメモリフルに陥らない場合には、３０枚分の原稿ページの全てについてメモリ送信処理が行なわれる。これが正常なメモリ送信処理の流れである。
【００２２】
これに対し、３０枚分の原稿画像を記憶部１９に蓄積しようとしている途中でメモリフルに陥り、例えば２７枚目までの原稿ページは正常に蓄積できたが２８枚目以降の３ページ分は蓄積できなかった場合には、オペレータは２８枚目以降の３ページ分の原稿を原稿自動送り装置に再セットしてスタートキーを入力操作すると、まず、記憶部１９に正常に蓄積されている、メモリフル発生以前の２７枚分の原稿ページについてのメモリ送信処理が行なわれ、その後、メモリフル発生後の３枚分の原稿ページについてのダイレクト送信処理が行なわれる。これが、全ての原稿ページを記憶部１９に蓄積しようとしている途中でメモリフルに陥ってしまった場合の送信処理の流れである。
【００２３】
このように、メモリ送信モードにおいて、全ての原稿ページを記憶部１９に蓄積しようとしている途中でメモリフルに陥ってしまった場合には、メモリフル発生以前の原稿ページについてはメモリ送信を実行する一方、メモリフル発生後の原稿ページについてはダイレクト送信を実行するように、メモリフルの発生前後で送信モードを切り換えるようにし、特に、メモリフルの発生有無を、原稿画像を実際に読み込んだ後に判断することとしたので、送信を始めから繰り返すことに起因する送信操作の煩雑さ、並びに、少なくとも二度にわたり原稿自動送り装置に原稿を通過させることに起因する原稿の傷みを、可及的に抑制することができる。
【００２４】
また、メモリフル発生以前の原稿ページについてのメモリ送信処理を実行後に、メモリフル発生以後の原稿ページについてのダイレクト送信処理を実行するようにしたので、メモリ送信処理の途上で通信エラーが発生した場合には、リダイヤルによって通信エラーからの復帰を図ることができる。
【００２５】
例えば、図２のフローチャートにおいて、ステップＳ６，Ｓ７間に、送信エラーの判断ステップを追加し、送信エラーが発生していなければ、ステップＳ７へ移行し、ダイレクト送信処理が行われる。送信エラーが発生したときは、リダイヤルのステップへ移行させるようにステップを追加し、リダイヤル後にステップＳ６へ移行させる。ステップＳ６では、リダイヤルにより通信エラーから回復したとき通信エラー後の原稿画像をメモリ送信する。
【００２６】
［その他］
本実施形態では、上述の動作フローチャート図で示した各種処理手順を、主制御部１１が所定のプログラムに従って入出力機器とデータ交換しながら実行する例をあげて説明したが、本発明はこの例に限定されることなく、主制御部１１の機能をハードウェアによって実現するように構成してもよいことは勿論である。
【００２７】
最後に、本発明は、上述した実施形態に限られるものではなく、請求の範囲及び明細書全体から読み取れる発明の要旨、あるいは技術思想に反しない範囲で適宜変更可能であり、そのような変更を伴うファクシミリ装置もまた、本発明における技術的範囲の射程に包含されるものである。
【図面の簡単な説明】
【００２８】
【図１】本発明に係るファクシミリ装置の概略構成を示すブロック図である。
【図２】本発明に係るファクシミリ装置のメモリ送信モードにおける動作フローチャート図である。
【符号の説明】
【００２９】
１１  主制御部
１７  操作部（パネル）
１９  記憶部
【図１】
2007306252.tif 000003
【図２】
2007306252.tif 000004